(57)【要約】 【課題】缶口の外径が異なる２種類の飲料缶に共通して嵌着できると共に、キャップの着脱に際して大きな力を入れる必要がなく極めて容易にでき、かつキャップを安価に供給できる飲料缶用のキャップを提供する。  【解決手段】飲料缶１０の端部に着脱可能に取り付けられ、かつ内部にプレミアムＡを収納できる空間部２を持つ合成樹脂製のキャップである。キャップ１は下端部に段部５を設けて周壁面４と連設する拡径周壁面６を一体に形成する。周壁面４と拡径周壁面６の周方向に複数個の内方に突出する係止突起部７，８を設ける。少なくとも拡径周壁面６の係止突起部８を飲料缶１０のネックイン部１１の凹部１１ａに係合する。  【選択図】図６
0003119357.tif 000002
【実用新案登録請求の範囲】
【請求項１】
飲料缶の端部に着脱可能に取り付けられ、かつ内部にプレミアムを収納できる空間部を持つ合成樹脂製のキャップであつて、キャップは下端部に段部を設けて周壁面と連設する拡径周壁面を一体に形成し、周壁面と拡径周壁面の周方向に複数個の内方に突出する係止突起部を設け、少なくとも拡径周壁面の係止突起部を飲料缶のネックイン部の凹部に係合するように構成したことを特徴とする飲料缶用のキャップ。
【請求項２】
キャップはポリエチレンテレフタレート樹脂のブリスター成形品である請求項１に記載の飲料缶用のキャップ。
【請求項３】
係止突起部は周壁面と拡径周壁面の外壁面に凹部を形成して内方に突出する弾性変形容易に形成してなる請求項１または請求項２記載の飲料缶用のキャップ。
【請求項４】
キャップは天板の中心部に凹所が形成されている請求項１〜３のいずれか１項に記載の飲料缶用のキャップ。
【考案の詳細な説明】
【技術分野】
【０００１】
本考案は、プレミアム付きの飲料缶に嵌着するキャップに関するもので、さらに詳しくは、飲料缶の口径が異なる２種類の飲料缶に共通して嵌着できる飲料缶用のキャップに関するものである。
【背景技術】
【０００２】
従来から、コーヒー、ジュース、お茶、清涼飲料水などが充填された缶飲料の販売促進を図る目的で、小玩具やキャラクター、フィギュアなどのプレミアムを飲料缶に直接付けて販売することが行われている。このプレミアム付き飲料缶は、飲料缶の上部周縁から僅かに窪んでいる天板の窪み部にプレミアムを載せ、そのプレミアムを内蔵できる空間部を持つ合成樹脂キャップを嵌着している（例えば、特許文献１、２参照）。
【０００３】
上記のコーヒー、ジュース、お茶、清涼飲料水などが充填された飲料缶は、アルミやスチールの材料節減を行って缶のコストダウンを図るために、缶胴より小径の蓋を巻き締めるべく、上部開口部から階段状に複数段のネックイン加工が施されているのが一般的である。また、一方においては、階段状とせずに１段のネックイン加工のものもある。
【０００４】
例えば、内容量１９０ｇと２５０ｇなどの飲料缶には、図４に示すような複数段のネックイン加工の採用された缶口の外径が４８ｍｍのものと、図５に示すような１段のネックイン加工の採用された缶口の外径が５２ｍｍの２種類の飲料缶がある。このように缶口の外径の大きさが異なる飲料缶にプレミアムを付けてキャップを嵌着する場合、当然のことながら、缶口の外径サイズに合った２種類のキャップを容易しなければならず非常に面倒で不経済であった。
【０００５】
そのような問題を解決するものとして、缶口の外径が異なる２種類の飲料缶でも共通できるキャップが提案されている（例えば、特許文献３参照）。
すなわち、図８〜図１１に示すように、下面を開口部としたキャップ２１の下端内周面の周方向の４箇所に内方に向かって小さく突出する第１係止部２２と、その第１係止部２２，２２間のキャップ内壁面の高さ方向に、かつ第１係止部２２より内方に向かって高く突出する第２係止部２３とを形成し、複数段あるいは１段のネックイン加工の施された飲料缶にも対応できるようになっている。
【０００６】
【特許文献１】登録実用新案３０５１８７６号公報
【特許文献２】登録実用新案３０９５３６８号公報
【特許文献３】特開２００４−２７６９７５号公報
【考案の開示】
【考案が解決しようとする課題】
【０００７】
しかしながら、上記の特許文献３のキャップ２１は、ポリプロピレン樹脂やポリエチレン樹脂の射出成形品が一般的で、収納されるプレミアムを保護しなければいけないので比較的肉厚を厚くしてあると共に、第１係止部２２と第２係止部２３の突起がキャップ内壁面２４と一体になるのと相俟って、第１係止部２２および第２係止部２３の部分が分厚く強固になり、弾性変形し難いことから、キャップの着脱に際しては大きな力を入れなければ着脱できず、子供の力では着脱し難いと言った問題があった。
【０００８】
本考案は、上記の問題を解決することを課題として研究開発されたもので、缶口の外径が異なる２種類の飲料缶に共通して嵌着できると共に、キャップの着脱に際して大きな力を入れる必要がなく極めて容易にでき、かつキャップを安価に供給できる飲料缶用のキャップを提供することを目的とするものである。
【課題を解決するための手段】
【０００９】
上記の課題を解決し、その目的を達成する手段として、本考案は、飲料缶の端部に着脱可能に取り付けられ、かつ内部にプレミアムを収納できる空間部を持つ合成樹脂製のキャップであつて、キャップは下端部に段部を設けて周壁面と連設する拡径周壁面を一体に形成し、周壁面と拡径周壁面の周方向に複数個の内方に突出する係止突起部を設け、少なくとも拡径周壁面の係止突起部を飲料缶のネックイン部の凹部に係合するように構成したことを特徴とする飲料缶用のキャップを開発し、採用した。
【００１０】
また、本考案は、上記のように構成した飲料缶用のキャップにおいて、キャップはポリエチレンテレフタレート樹脂のブリスター成形品である飲料缶用のキャップ、および係止突起部は周壁面と拡径周壁面の外壁面に凹部を形成して内方に突出する弾性変形容易に形成してなる飲料缶用のキャップ、およびキャップは天板の中心部に凹所が形成されている飲料缶用のキャップを開発し、採用した。  
【考案の効果】
【００１１】
本考案は、キャップの周壁面と拡径周壁面の周方向に内方に突出する係止突起部を設けたので、ネックイン部が複数段あるいは１段どちらの飲料缶にでも拡径周壁面の係止突起部および周壁面の係止突起部または拡径周壁面の係止突起部がネックイン部の凹部に係合し、口径の大きさが異なる飲料缶に共通して嵌着できる便利さがある。また、キャップの周壁面および拡径周壁面の係止突起片は弾性変形容易に形成されてあるから、飲料缶の上から軽く押せば係止突起部が弾性変形して取り付けることができると共に、キャップを持って引き抜けば容易に取り外すことができ、着脱に大きな力を必要としない。
【００１２】
さらに、キャップは、ポリエチレンテレフタレート樹脂のブリスター成形品であるから、従来使用されていたポリプロピレン製やポリエチレン製のキャップに比べて薄肉化、軽量化が図れコストダウン化できる。
【００１３】
また、キャップは天板の中心部に凹所を形成してあるから、缶を積み重ねた時の荷重が天板の全面にかかることなく、積み重ねても充分に持ちこたえる強度であり、キャップが損傷して内部に収容されたプレミアムを傷めることなく充分保護できる。
【考案を実施するための最良の形態】
【００１４】
以下に本考案の実施の形態を添付図面に基づいて説明すれば、１は小玩具やキャラクター、フィギュアなどのプレミアムＡを収納する空間部２を持つポリエチレンテレフタレート（ＰＥＴ）樹脂からなるブリスター成形品の透明キャップであり、比較的薄膜に仕上げられている。このキャップ１は天板３の周縁を下方に向かって徐々に拡大する傾斜周壁面４を一体に設けると共に、下端部に段部５を形成し、その段部５と連設する短寸の拡径周壁面６を形成してある。
【００１５】
７は傾斜周壁面４の下端内周面で、９０度の間隔毎に周方向に４ヶ所に設けた内方に突出する係止突起部であり、この係止突起部７は、傾斜周壁面４の外壁面に小さな方形状の凹部７ａを形成することにより内方に突出させたものであり、弾性変形容易に形成されている。
【００１６】
８は上記の傾斜周壁面４に設けた係止突起部７と同じように、拡径周壁面６の外面に小さな方形状の凹部８ａを形成することにより内方に突出する係止突起部で、拡径周壁面５の内面に９０度の間隔毎に周方向に４ヶ所に設けてあり、この係止突起部８は上記傾斜周壁面４に設けた係止突起部７の下方に位置し上下に並んで形成されている。
【００１７】
９は天板３の平面中央部に設けた凹所であり、飲料缶１０を重合 (図示せず) した際、荷重が天板３の全面に圧しかからないようにしてある。
【００１８】
このように構成した本考案の使用状態を説明すれば、図６に示すように、ネックイン部１１が複数段形成された缶口径の小さい飲料缶１０ａにキャップ１を嵌着するには、缶上端部の窪み部１２にプレミアムＡを載置した状態でキャップ１を嵌着するのであるが、キャップ１を飲料缶１０ａの上部から押圧すれば拡径周壁面６の係止突起部８……８と傾斜周壁面４の係止突起部７……７が弾性変形してネックイン部１１の上下凹部１１ａ、１１ｂに係合する。キャップ１を嵌着した飲料缶は、規定の飲料缶の同じ長さになることから、自動販売機の収納部に収納でき自動販売機での販売が可能になる。
【００１９】
また、図７に示すように、ネックイン部１１が１段形成された缶口径の大きい飲料缶１０ｂにキャップ１を嵌着するには、上記と同様に缶上端部の窪み部１２にプレミアムＡを載置した状態とし、キャップ１を飲料缶１０ａの上部から押圧すれば拡径周壁面６の係止突起部８……８が弾性変形してネックイン部１１の上凹部１１ａに係合すると共に、段部３が巻締部に位置することになる。
【００２０】
このように、キャップ１はネックイン部１１が複数段の飲料缶１０ａでも、ネックイン部１１が１段の飲料缶１０ｂでも嵌着でき、拡径周壁面６の係止突起部８……８および傾斜周壁面４の係止突起片７……７または拡径斜周壁面６の係止突起片８……８がネックイン部１１の上下凹部１１ａ，１１ｂに係合することから、缶口径の異なる飲料缶に嵌着できるものである。そして、キャップを嵌着し自動販売機での使用においても、収納部から取り出し口に排出されて落下する時の衝撃、接触などによってもキャップ体は外れることがない。
【００２１】
また、キャップ１をポリエチレンテレフタレート樹脂からなるブリスター成形品の透明体を用いれば、収納されているプレミアムが分かり購入者の欲しい物であれば購入することになり販売促進に寄与できる。また、不透明のキャップに子供らが欲しがる人気のキャラクターが収納されている場合には、欲しいキャラクターが当るまで多く買うことになり、射幸心をあおることになるが、透明体であればそのようなことを防ぐことができる。
【００２２】
さらに、キャップ１に設けた係止突起部は傾斜周壁面および拡径周壁面の弾性変形容易に形成されてあるから、飲料缶の上から軽く押せば係止突起部が弾性変形して取り付けることができると共に、キャップを持って引き抜けば容易に取り外すことができ、着脱に大きな力を必要としない。
【００２３】
以上、本考案の実施の形態について説明したが、本考案はこれらの実施の形態に限定されるものではなく、考案の目的を達成でき、且つ考案の要旨を逸脱しない範囲内で種々の設計変更が可能であることは当然である。
【産業上の利用可能性】
【００２４】
本考案は、コーヒー、ジュース、お茶、清涼飲料水だけでなく、ビール、酎ハイなどのアルコール類などの飲料缶や食品を収納した缶容器にも適用することができる。
【図面の簡単な説明】
【００２５】
【図１】本考案のキャップ体の正面図である。
【図２】本考案のキャップ体の底面図である。
【図３】図２のＡ−Ａ線縦断面図である。
【図４】複数段のネックイン加工した飲料缶の斜視図である。
【図５】１段のネックイン加工した飲料缶の斜視図である。
【図６】複数段のネックイン加工した飲料缶にキャップ体を嵌着した状態の縦断面図である。
【図７】１段のネックイン加工した飲料缶にキャップ体を嵌着した状態の縦断面図である。
【図８】従来のキャップ体の正面図である。
【図９】従来のキャップ体の底面図である。
【図１０】図１０のＣ−Ｃ線断面図である。
【図１１】図１０のＤ−Ｄ線断面図である。
【符号の説明】
【００２６】
１      キャップ
２      空間部
３      天板
４      周壁面
５      段部
６      拡径周壁面
７      係止突起部
８      係止突起部
９      凹所
１０    飲料缶
１１    ネックイン部
１１ａ  凹部
１１ｂ  凹部
Ａ      プレミアム
【図１】
0003119357.tif 000003
【図２】
0003119357.tif 000004
【図３】
0003119357.tif 000005
【図４】
0003119357.tif 000006
【図５】
0003119357.tif 000007
【図６】
0003119357.tif 000008
【図７】
0003119357.tif 000009
【図８】
0003119357.tif 000010
【図９】
0003119357.tif 000011
【図１０】
0003119357.tif 000012
【図１１】
0003119357.tif 000013